(57)【要約】【課題】使用者の検索意図に最大限に応じた検索サービスを提供する。【解決手段】本発明の検索システムは、使用者端末機２００から入力された検索語に対応するウェブサイト３００に検索語に関する検索を要請する第１検索部１１４と、ウェブサイト３００から提供される第１検索結果を含むウェブページを生成して使用者端末機２００に提供する検索結果提供部１１８とを含む。【選択図】図１
2008186452.tif 000002
【特許請求の範囲】
【請求項１】
使用者端末機から入力された検索語に対応するウェブサイトに前記検索語に関する検索を要請する第１検索部と、
前記ウェブサイトから提供される第１検索結果を含むウェブページを生成して前記使用者端末機に提供する検索結果提供部と、
を含むことを特徴とする検索システム。
【請求項２】
複数のキーワードおよび各キーワードに対応する代表サイトのネットワークアドレスを記憶するサイトデータベースと、
前記検索語と一致するキーワードに対応する代表サイトのネットワークアドレスを抽出し、前記検索語と前記抽出されたネットワークアドレスを前記第１検索部に提供する検索語処理部と、を更に含み、
前記第１検索部は、前記抽出されたネットワークアドレスに対応する前記ウェブサイトに接続して前記検索語に関する検索を要請することを特徴とする請求項１に記載の検索システム。
【請求項３】
検索機能を提供するサイトのうち前記キーワードと関連度が最も高いサイトを前記キーワードに対する代表サイトとして対応させるサイトマッチング部を更に含むことを特徴とする請求項２に記載の検索システム。
【請求項４】
前記関連度は、前記キーワードに対するサイト別クリック回数、又は前記キーワードに対するサイトランキングにより決定されることを特徴とする請求項３に記載の検索システム。
【請求項５】
検索目録を含む検索データベースと、
前記検索語を用いて当該検索語を含む索引語を有する検索目録を前記検索データベースから抽出して第２検索結果として前記検索結果提供部に提供する第２検索部と、を更に含むことを特徴とする請求項１に記載の検索システム。
【請求項６】
前記検索結果提供部は、前記第２検索部から前記第２検索結果を受信した場合、受信した前記第２検索結果を更に含む前記ウェブページを生成して前記使用者端末機に提供することを特徴とする請求項５に記載の検索システム。
【請求項７】
前記検索結果提供部は、前記第１検索結果を前記ウェブページにアイフレーム形式で挿入することを特徴とする請求項１に記載の検索システム。
【請求項８】
使用者端末機から入力された検索語に対応するウェブサイトに前記検索語に関する検索を要請する段階と、
前記ウェブサイトから提供される第１検索結果を含むウェブページを生成して前記使用者端末機に提供する段階と、を含むことを特徴とする検索方法。
【請求項９】
複数のキーワードおよび各キーワードに対応する代表サイトのネットワークアドレスを記憶する段階と、
前記検索語と一致するキーワードに対応する代表サイトネットワークアドレスを抽出する段階と、を更に含み、
前記ウェブサイトに検索を要請する段階は、前記抽出されたネットワークアドレスに対応する前記ウェブサイトに接続して前記検索語に関する検索を要請する段階を含むことを特徴とする請求項８に記載の検索方法。
【請求項１０】
検索機能を提供するサイトのうち前記キーワードと関連度が最も高いサイトを前記キーワードに対する代表サイトとして対応させる段階を更に含むことを特徴とする請求項９に記載の検索方法。
【請求項１１】
前記関連度は、前記キーワードに対するサイト別クリック回数、又は前記キーワードに対するサイトランキングにより決定されることを特徴とする請求項１０に記載の検索方法。
【請求項１２】
検索目録を維持する段階と、
前記検索目録のうち前記検索語を含む索引語を有する検索目録を抽出して第２検索結果として前記使用者端末機に提供する段階と、を更に含むことを特徴とする請求項８に記載の検索方法。
【請求項１３】
前記第１検索結果を含むウェブページを生成して前記使用者端末機に提供する段階は、前記第２検索結果を更に含む前記ウェブページを生成して前記使用者端末機に提供する段階を含むことを特徴とする請求項１２に記載の検索方法。
【請求項１４】
前記第１検索結果は、前記ウェブページにアイフレーム形式で挿入されることを特徴とする請求項８に記載の検索方法。
【請求項１５】
請求項８から請求項１４のいずれか一つに記載の検索方法をコンピュータに実行させるためのプログラムを記録したコンピュータ読取可能な記録媒体。
【発明の詳細な説明】
【技術分野】
【０００１】
本発明は、検索システム及び検索方法に関し、より詳しくは、使用者がより便利に自分が所望する検索結果の提供を受けることができるようにする検索システム及び検索方法に関する。
【背景技術】
【０００２】
最近、超高速インターネットが急速に普及することに伴い、インターネットは現代生活になくてはならない必需品となっている。インターネットを利用する大部分の使用者はブラウザーを通じてインターネットに接続した後、インターネットポータルサイトを通じて情報を検索する。使用者がインターネットポータルの検索窓に検索語を入力すると、インターネットポータルは、データベースで検索語に対応する多様な情報を抽出し、抽出した情報を検索結果として使用者に提供する。抽出される情報は、辞書、知識情報（例えば、ネイバーの知識ｉＮ）、ブログ、カフェ、専門資料、サイト、本、ニュース、ウェブページ、動画などのようなカテゴリーに分けられ、使用者に伝送されて表示される。
【０００３】
一般に、インターネットポータルは、自体がデータベースを有してインターネット検索サービスを提供しているが、外部データベースをクロール（ＣＲＡＷＬ）したり、他のインターネット検索サービス業者との提携を通じて検索結果を使用者に提供する場合もある。また、インターネットポータル以外にも多くのウェブサイトは、それ自体が検索機能を具備し、使用者から入力される検索語に対する検索結果を当該ウェブサイトの特性に適合するように構成して使用者に提供している。
【０００４】
しかしながら、使用者は、インターネットポータル以外の他のウェブサイトのネットワークアドレスを、記憶できない傾向がある。従って、インターネットポータルではない他のウェブサイトで検索するためには、一旦、インターネットポータルで当該ウェブサイトを検索して接続した後、当該ウェブサイトの検索窓に検索語を入力するという煩わしい過程を経なければ自身が所望する検索結果を得ることができなかった。
【発明の開示】
【発明が解決しようとする課題】
【０００５】
そこで、本発明が解決しようとする課題は、使用者がより便利に多様な検索結果の提供を受けることができるようにする検索システム及び検索方法を提供することにある。
【０００６】
また、本発明が解決しようとする課題は、使用者の検索意図に最大限に応じた検索結果を提供することができ、特に、使用者から最初の１回入力された検索語のみでも使用者が所望する検索結果を正確に提供することができる検索システム及び検索方法を提供することにある。
【課題を解決するための手段】
【０００７】
このような課題を解決するための本発明の一実施例による検索システムは、使用者端末機から入力された検索語に対応するウェブサイトに前記検索語に関する検索を要請する第１検索部と、前記ウェブサイトから提供される第１検索結果を含むウェブページを生成して前記使用者端末機に提供する検索結果提供部とを含むことを特徴とする。
【０００８】
また、複数のキーワードおよび各キーワードに対応する代表サイトのネットワークアドレスを記憶するサイトデータベースと、前記検索語と一致するキーワードに対応する代表サイトのネットワークアドレスを抽出し、前記検索語と前記抽出されたネットワークアドレスを前記第１検索部に提供する検索語処理部とを更に含むことができ、前記第１検索部は、前記抽出されたネットワークアドレスに対応する前記ウェブサイトに接続して前記検索語に関する検索を要請することができる。
【０００９】
また、検索機能を提供するサイトのうち前記キーワードと関連度が最も高いサイトを前記キーワードに対する代表サイトとして対応させるサイトマッチング部を更に含むことができる。
【００１０】
また、前記関連度は、前記キーワードに対するサイト別クリック回数、又は前記キーワードに対するサイトランキングにより決定されることができる。
【００１１】
また、検索目録を含む検索データベースと、前記検索語を含む索引語を有する検索目録を前記検索データベースから抽出して第２検索結果として前記検索結果提供部に提供する第２検索部とを更に含むことができる。
【００１２】
また、前記検索結果提供部は、前記第２検索部から前記第２検索結果を受信し、前記第２検索結果を更に含む前記ウェブページを生成して前記使用者端末機に提供することができる。
【００１３】
また、前記検索結果提供部は、前記第１検索結果を前記ウェブページにアイフレーム形式で挿入することができる。
【００１４】
また、本発明の他の側面における検索方法は、使用者端末機から入力された検索語に対応するウェブサイトに前記検索語に関する検索を要請する検索要請段階と、前記ウェブサイトから提供される第１検索結果を含むウェブページを生成して前記使用者端末機に提供する第１検索結果提供段階とを含むことを特徴とする。
【００１５】
また、複数のキーワードおよび各キーワードに対応する代表サイトのネットワークアドレスを記憶する段階と、前記検索語と一致するキーワードに対応する代表サイトネットワークアドレスを抽出する段階とを更に含むことができ、前記検索要請段階は、前記抽出されたネットワークアドレスに対応する前記ウェブサイトに接続して前記検索語に関する検索を要請する段階を含むことができる。
【００１６】
また、検索機能を提供するサイトのうち前記キーワードと関連度が最も高いサイトを前記キーワードに対する代表サイトとして対応させる段階を更に含むことができる。
【００１７】
また、前記関連度は、前記キーワードに対するサイト別クリック回数、又は前記キーワードに対するサイトランキングにより決定されることができる。
【００１８】
また、検索目録を維持する段階と、前記検索目録のうち前記検索語を含む索引語を有する検索目録を抽出して第２検索結果として前記使用者端末機に提供する段階とを更に含むことができる。
【００１９】
また、前記第１検索結果提供段階は、前記第２検索結果を更に含む前記ウェブページを生成して前記使用者端末機に提供する段階を含むことができる。
【００２０】
また、前記第１検索結果は、前記ウェブページにアイフレーム形式で挿入されることができる。
【００２１】
また、本発明のさらに他の側面におけるコンピュータ読取可能な記録媒体は、前記方法のいずれか一つをコンピュータに実行させるためのプログラムが記録される。
【発明の効果】
【００２２】
このように本発明によれば、インターネットポータルの自体の検索データベースによる検索結果に追加して他インターネットサイトの検索結果も共に提供することによって、より多様な検索結果を使用者に提供することができる。
【００２３】
また、使用者から入力された検索語と関連度が高いウェブサイトで提供する検索結果を反映することによって、使用者の検索意図に最大限に応じた検索結果を提供することができる。特に、使用者から最初の１回入力された検索語のみでも使用者が所望する検索結果を正確に提供することができる。
【発明を実施するための最良の態様】
【００２４】
以下、添付した図面を参照しながら本発明の好適な実施例について、本発明が属する技術分野で通常の知識を有する者が容易に実施できるように詳細に説明する。
【００２５】
先ず、図１および図２を参照して本発明の実施例における検索システムについて詳細に説明する。図１は、本発明の実施例における検索システムを説明するためのブロック図であり、図２は、図１に示した検索サーバーの一例を示すブロック図である。
【００２６】
図１に示すように、本発明の実施例における検索システム１００は、互いに連結されている検索サーバー１１０、サイトデータベース１２０、サイトマッチング部１３０、そして検索データベース１４０を含み、通信網１０を通じて複数の使用者端末機２００と複数のウェブサイト３００に連結されている。
【００２７】
使用者端末機２００は、使用者がインターネット検索を行うために検索システム１００と通信する装置であって、通信網１０を通じて情報のやりとりを行う。使用者端末機２００はデスクトップコンピュータのみならず、ノートパソコン、ワークステーション、パームトップ（ｐａｌｍｔｏｐ）コンピュータ、個人携帯情報端末機（ｐｅｒｓｏｎａｌ ｄｅｇｉｔａｌ ａｓｓｉｓｔａｎｔ、ＰＤＡ）、ウェブパッドなどのようにメモリ手段を備え、マイクロプロセッサを搭載して演算能力を有する端末機である。
【００２８】
ウェブサイト３００は、インターネットで使用者が情報を必要とする際に、いつでもそれを提供することができるようにウェブサーバー（図示せず）に情報を保存している集合体であって、当該情報を使用者がより便利に探して利用できるように自主的に検索結果を提供することができる。ウェブサイト３００は、通信網１０を通じて使用者端末機２００と直接連結して検索結果を使用者に提供できるとともに、本発明では、ウェブサイト３００は、検索システム１００を通じて検索結果を使用者に提供することもできる。
【００２９】
通信網１０は、構内情報通信網（ｌｏｃａｌ ａｒｅａ ｎｅｔｗｏｒｋ、ＬＡＮ）、都市圏通信網（ｍｅｔｒｏｐｏｌｉｔａｎ ａｒｅａ ｎｅｔｗｏｒｋ、ＭＡＮ）、広域通信網（ｗｉｄｅ ａｒｅａ ｎｅｔｗｏｒｋ、ＷＡＮ）、インターネットなどの通信網であり、通信方式も有線、無線を問わず、如何なる通信方式であってもよい。
【００３０】
サイトデータベース１２０は、キーワードと当該キーワードに対応する代表サイトのネットワークアドレスを記憶する。このキーワードは、これに対する検索結果をウェブサイト３００から受けて使用者に提供するように指定されている単語を意味し、代表サイトは、検索機能を提供するウェブサイト３００のうち当該キーワードと最も関連度が高いウェブサイトを意味し、ネットワークアドレスは、当該ウェブサイト３００のドメインアドレスまたはＩＰアドレス（ｉｎｔｅｒｎｅｔｐｒｏｔｏｃｏｌ ａｄｄｒｅｓｓ）が使用される。キーワードと代表サイトネットワークアドレスの対応は次に説明するサイトマッチング部１３０により行われ、また、本検索システム１００の運営者により直接行われてサイトデータベース１２０に記憶される。
【００３１】
サイトマッチング部１３０は、キーワードと当該キーワードの代表サイトネットワークアドレスを対応させてサイトデータベース１２０に記憶させる。より詳しくは、サイトマッチング部１３０は、各キーワードに対して所定の順位内の関連度を有するウェブサイトを把握し、これらのうち検索機能を提供するウェブサイトを当該キーワードに対する代表サイトとして決定し、そのネットワークアドレスをキーワードと対応させて記憶する。検索機能を提供するウェブサイト３００が複数である場合には、当該キーワードに対して最も関連度が高いウェブサイト３００を代表サイトとして決定することができる。
【００３２】
サイトマッチング部１３０は、キーワードとウェブサイトの関連度を次のような方法により算出できる。
【００３３】
第１の方法は、当該キーワードに対するウェブサイト別クリック回数により関連度の順位を決定する。つまり、当該キーワードに対する検索結果画面で使用者がより詳しい情報を得るために簡略ビューのリンクをクリックすると、クリックされたＵＲＬ情報を抽出して当該キーワードに対する当該ＵＲＬを含むウェブサイトのクリック回数を増加させる。このような方式で当該キーワードに対するウェブサイト別の全体のクリック回数を調査してクリック回数の順序により関連度順序を決定する。例えば、キーワード”冬のソナタ”に関する検索結果画面で使用者が“ＷＷＷ.ＫＢＳ.ＣＯ.ＫＲ”を含むＵＲＬをクリックして韓国放送公社のウェブサイトを訪問した回数が多いほど、韓国放送公社のウェブサイトはキーワード‘冬のソナタ’について関連度が高いものとして捉えることができる。
【００３４】
第２の方法は、所定のランキングアルゴリズムを利用して当該キーワードとウェブサイトの関連度を算出する。一例として、サイトマッチング部１３０は、当該ウェブサイトのウェブページに含まれている当該キーワードの頻度数に基づいて関連度を算出するランキングアルゴリズムを利用することができる。なお、サイトマッチング部１３０は、他のランキングアルゴリズムを利用してウェブサイトとキーワードの間の関連度を算出することも可能である。
【００３５】
なお、上記二つの方法以外にも他の方法によってキーワードとウェブサイトの関連度を算出することも可能であり、その関連度の算出方法は、上記方法に制限されない。
【００３６】
また、特定のキーワードに対しては検索システム１００の運営者により予め定められた代表サイトのネットワークアドレスを対応させることもできる。
【００３７】
検索データベース１４０は、検索ロボット（図示せず）によりウェブ上で収集された各種のウェブページに関する情報を記憶する。ウェブページ情報は、検索システム１００において予め設定された基準に従う複数の検索目録に沿って整理されて保存される。複数の検索目録には、題名（ｔｉｔｌｅ）、ＵＲＬ、ウェブページに関する説明および索引語などが含まれ、題名は、当該ウェブページに対して与えられた名前であり、ＵＲＬは、当該ウェブページのネットワークアドレスである。
【００３８】
次に、図２に示すように、検索サーバー１１０は、検索語処理部１１２、第１および第２検索部１１４、１１６、そして、検索結果提供部１１８を含み、検索窓を含むウェブページを使用者端末機２００に提供し、当該検索窓を介して入力された使用者から検索語を受信し、検索語に対して適切な検索動作を行った後に検索結果を使用者に提供する。なお、検索語処理部１１２、第１および第２検索部１１４、１１６、及び検索結果提供部１１８のうちの少なくとも一つは、検索サーバー１１０の外部に個別に構成することができ、別途のサーバー（図示せず）に含まれるように構成することもできる。
【００３９】
検索語処理部１１２は、使用者から受信した検索語を用いてサイトデータベース１２０に問い合わせ、一致（完全一致及び部分一致を含む）するキーワードがあるか否か判断する。検索語処理部１１２は、使用者から受信した検索語と一致するキーワードがあると判別した場合、当該キーワードに対応する代表サイト３００のネットワークアドレス及びその検索語を第１検索部１１４に提供する。また、検索語処理部１１２は、使用者から受信した検索語を第２検索部１１６に提供する。
【００４０】
第１検索部１１４は、検索語処理部１１２から受信したネットワークアドレスを参照して該当するウェブサイト３００に接続する。そして、接続したウェブサイト３００の検索ページに含まれている検索窓に使用者から受信した検索語を入力し、これに関する検索要請を行い、当該ウェブサイト３００から検索結果を受ける。その後、第１検索部１１４は、当該ウェブサイト３００から提供された検索結果を検索結果提供部１１８に伝送する。第１検索部１１４と当該ウェブサイト３００は、ＨＴＭＬ（ｈｙｐｅｒｔｅｘｔｍａｒｋｕｐ ｌａｎｇｕａｇｅ）またはＸＭＬ（ｅｘｔｅｎｓｉｂｌｅ ｍａｒｋｕｐ ｌａｎｇｕａｇｅ）で作成されたデータ形式で情報のやりとりを行うことができるが、これに限らない。
【００４１】
上記の一例として、例えば、使用者から入力された検索語が”冬のソナタ”である場合、検索語処理部１１２は、入力された検索語をサイトデータベース１２０に問い合わせる。サイトデータベース１２０に”冬のソナタ”がキーワードとして登録されていると判別した場合、検索語処理部１１２は、”冬のソナタ”に対応して格納されている代表サイトネットワークアドレス”www.kbs.co.kr”をサイトデータベース１２０から抽出して検索語”冬のソナタ”と共に第１検索部１１４に伝送する。そして、第１検索部１１４は、韓国放送公社のウェブサイト３００”www.kbs.co.kr”に接続して”冬のソナタ”に関する検索結果を当該ウェブサイト３００に要請し、ウェブサイト３００での検索結果（第１検索結果）を受信する。
【００４２】
第２検索部１１６は、検索語処理部１１２から使用者が入力した検索語を受信すると、検索データベース１４０に問い合わせて受信した検索語が含まれている索引語を有する検索目録を検索データベース１４０から抽出する。その後、第２検索部１１６は、抽出された検索目録を、使用者が入力した検索語に対する検索結果（第２検索結果）として検索結果提供部１１８に提供する。
【００４３】
検索結果提供部１１８は、第１および第２検索部１１４、１１６から各検索結果を受信し、検索結果（第１及び第２検索結果）を含むウェブページを所定の方式により生成して使用者端末機２００に提供する。
【００４４】
検索結果提供部１１８により生成される検索結果を含むウェブページの一例を、図３を参照して説明する。当該図３は、本発明における検索システムで検索結果として使用者に提供されるウェブページの一例を示す図であり、使用者が”冬のソナタ”を検索語として入力した場合を例示している。
【００４５】
図３に示すように、第１検索部１１４から受信した検索結果（第１検索結果）４２０がウェブページ４００の上段に配置されており、第２検索部１１６から受信した検索目録（第２検索結果）４１０がウェブページ４００の下段に配置されている。
【００４６】
検索結果４２０は、韓国放送公社のウェブサイト３００‘www.kbs.co.kr’の検索窓に”冬のソナタ”を検索語として入力した場合にこのウェブサイト３００が提供する検索結果と内容が実質的に同一である。検索結果提供部１１８は、ウェブサイト３００から受信した検索結果４２０をＩＦｒａｍｅ（ｉｎｌｉｎｅｆｒａｍｅ）方式でウェブページ４００に挿入することができる。ＩＦｒａｍｅは、メインウェブ文書の内部に他のＨＴＭＬ文書の挿入を可能にするＨＴＭＬ要素である。ＩＦｒａｍｅ方式で挿入された検索結果４２０は、当該ウェブサイト３００で提供する形態通り使用者に提供され、かつ利用される。なお、検索結果提供部１１８で検索結果４２０を、当該検索システム１００自体の所定の基準に合わせて変更した後に提供することも可能である。例えば、検索結果４２０内に「ショートカット」または「もっと見るボタン」を追加したり、内容を追加することができる。
【００４７】
なお、図３では、第１検索部１１４から受信した検索結果４２０がウェブページ４００の上段に配置されたものと例示したが、必要に応じて検索結果４２０の配置位置を変更することもできる。ウェブサイト３００から提供される検索結果４２０をウェブページ４００の下段に配置して使用者に提供することもでき、ウェブページ４００を左右に分割して左側または右側に検索結果４２０を配置することもできる。
【００４８】
そして、使用者の検索意図に対してより好適な検索結果を提供するために、本検索システム１００は、第１検索部１１４から受信した検索結果４２０を表示（受信）するか否か、及びウェブページ４００上での検索結果４２０の配置位置などについて、使用者から事前に設定情報を受け付けることができる。使用者がウェブサイト３００から受信した検索結果４２０を表示しないと事前に設定している場合、検索結果提供部１１８は、第２検索部１１６から受信した検索目録４１０のみを検索結果として提供することができる。
【００４９】
次に、図４を参照して本発明の実施例における検索システム１００の動作についてより詳細に説明する。図４は、本発明の実施例における検索システムの動作を説明するフローチャートである。
【００５０】
先ず、本検索システム１００は、使用者端末機２００から検索窓を介して入力された検索語を受信すると（Ｓ５１０）、検索語処理部１１２は、使用者から入力された検索語を第２検索部１１６に伝送し、第２検索部１１６が当該検索語について検索データベース１３０に問い合わせる（Ｓ５２０）。段階Ｓ５２０は、使用者から検索語が受信された後から使用者に検索結果を提供する前までいつでも遂行されることができ、いつ遂行されても全体の動作に大きな影響を与えない。
【００５１】
さらに検索語処理部１１２は、使用者から入力された検索語をサイトデータベース１２０に問い合わせて一致するキーワードがあるか否かを判断する（Ｓ５３０）。判断の結果、一致するキーワードがある場合には当該キーワードに対応する代表サイトのネットワークアドレスをサイトデータベース１２０から抽出して検索語と共に第１検索部１１４に伝送する（Ｓ５４０）。そして、第１検索部１１４は、抽出した代表サイトのネットワークアドレスに対応するウェブサイト３００に接続し、使用者が入力した検索語に関する検索要請を当該ウェブサイト３００に対して行った後（Ｓ５５０）、当該ウェブサイト３００からの検索結果を受信する（Ｓ５６０）。なお、段階Ｓ５３０において検索語と一致するキーワードがないと判断された場合には、第１検索部１１４が外部のウェブサイト３００に対してする検索要請は省略されることになる。
【００５２】
検索結果提供部１１８は、第１および第２検索部１１４、１１６から検索結果を受信し、これら検索結果を含むウェブページを所定の方式により生成して使用者端末機２００に提供する（Ｓ５７０）。ここで、検索結果提供部１１８は、第１検索部１１４から検索結果を受信しない場合、第２検索部１１６の検索結果のみを用いてウェブページを生成して使用者端末機２００に提供する。
【００５３】
本発明の実施例は、多様なコンピュータで具現される動作を行うためのプログラム命令を含むコンピュータで読取可能な記録媒体を含む。この記録媒体は上述した本発明の検索方法を実行させるためのプログラム又はプロセスを記録する。なお、この記録媒体には、プログラム命令、データファイル、データ構造などを単独または組み合わせて含むことができる。このような記録媒体の例としては、ハードディスク、フロッピー（登録商標）ディスクおよび磁気テープのような磁気媒体、ＣＤおよびＤＶＤのような光記録媒体、フロプティカルディスク（ｆｌｏｐｔｉｃａｌｄｉｓｋ）と磁気−光媒体、ＲＯＭ、ＲＡＭ、フラッシュメモリなどのようなプログラム命令を保存し遂行するように構成されたハードウェア装置などがある。なお、このような記録媒体は、プログラム命令、データ構造などを指定する信号を伝送する搬送波を含む光または金属線、導波管などの伝送媒体であってもよい。プログラム命令の例としては、コンパイラーにより作られるような機械語コードだけでなく、インタープリタなどを使用してコンピュータにより実行される高級言語コードを含むことができる。
【００５４】
以上、本発明を好適な実施例に則して詳細に説明したが、本発明の権利範囲はこれに限定されず、特許請求の範囲で定義している本発明の基本概念（技術的思想）を利用した当業者の多様な変形及び改良形態もまた本発明の権利範囲に属する。
【図面の簡単な説明】
【００５５】
【図１】本発明の実施例による検索システムを説明するためのブロック図である。
【図２】図１に示した検索サーバーの一例を示すブロック図である。
【図３】本発明による検索システムで検索結果として提供するウェブページの一例を示す図面である。
【図４】本発明の実施例による検索システムの動作を説明するフローチャートである。
【符号の説明】
【００５６】
１０：通信網
１００：検索システム
１１０：検索サーバー
１１２：検索語処理部
１１４：第１検索部
１１６：第２検索部
１１８：検索結果提供部
１２０：サイトデータベース
１３０：サイトマッチング部
１４０：検索データベース
２００：使用者端末機
３００：ウェブサイト
【図１】
2008186452.tif 000003
【図２】
2008186452.tif 000004
【図３】
2008186452.tif 000005
【図４】
2008186452.tif 000006